(57)【特許請求の範囲】
【請求項１】
少なくともデータベースを備えたオークションサーバにより実行されるオークション方法であって、前記オークションサーバが、特定商品に対する上限価格、販売者が提示した下限価格及び販売者が提示した複数の落札限定人員に関する情報を格納する前記データベースを維持する段階、
前記オークションサーバが前記下限価格と前記上限価格を入札者端末に送信する段階、
前記オークションサーバが前記入札者端末から前記下限価格と前記上限価格との間で前記特定商品に対する入札金額を含む入札情報を受信する段階、
前記オークションサーバが前記下限価格と前記上限価格の間の入札金額を入力し、前記下限価格と前記上限価格の間を外れる入札金額は入力されないように制御する段階、
予め設定された入札時間が経過した場合、前記オークションサーバが前記落札限定人員及び前記入札情報に基づいて前記入札者の中から最低落札者を選定する段階、
前記オークションサーバが、前記最低落札者の入札情報に基づいて、全ての落札者に前記最低落札者の落札金額を販売価格として適用し、落札者端末に決済を要請する段階、及び
前記オークションサーバが、前記最低落札者の落札金額から前記下限価格を差し引きした金額である余剰収益をオークション手数料として精算処理する段階、を含むことを特徴とするオークション方法。
【請求項２】
前記オークション方法は、
前記オークションサーバが、前記最低落札者に一定の恩典を提供する段階、
をさらに含むことを特徴とする請求項１に記載のオークション方法。
【請求項３】
前記最低落札者を選定する段階は、
同一の入札金額を提示した落札者が複数であるとき、
前記オークションサーバが、入札時間をさらに考慮して前記最低落札者を選定する段階、
を含むことを特徴とする請求項１に記載のオークション方法。
【請求項４】
前記オークション方法は、
前記オークションサーバが、前記最低落札者の落札金額から前記下限価格を差し引いた金額を原資に、前記販売者に対するオークション手数料を精算する段階、
をさらに含むことを特徴とする請求項１に記載のオークション方法。
【請求項５】
前記決済を要請する段階は、
落札者が入札金額に対して先決済をしたとき、
前記オークションサーバが、前記先決済した入札金額から前記最低落札者の落札金額を差し引いた金額に対して精算処理する段階、
を含むことを特徴とする請求項１に記載のオークション方法。
【請求項６】
特定商品に対する上限価格、販売者が提示した下限価格及び販売者が提示した複数の落札限定人員に関する情報を格納するデータベースを維持する格納部、
複数の入札者端末から前記下限価格と前記上限価格との間で入札者が入力した前記特定商品に対する入札金額を含む入札情報を受信する受信部、
予め設定された入札時間が経過したとき、前記落札限定人員及び前記入札情報に基づいて前記入札者のうちから、最低落札者を選定する選定部、
前記最低落札者の入札情報に基づいて全ての落札者に前記最低落札者の落札金額を販売価格として適用し、落札者端末に決済を要請する決済要請部、及び
前記複数の入札者端末に前記下限価格と前記上限価格を提供し、該複数の入札者端末から前記下限価格と前記上限価格間を外れる入札金額は入力されないように制御し、前記最低落札者の落札価格から前記下限価格を差し引きした金額である余剰利益をオークション手数料として精算処理するように、前記格納部、前記受信部、前記選定部、及び前記決済要請部を制御する制御部、を含むことを特徴とするオークションサーバ。
【請求項７】
前記制御部は、
前記最低落札者に一定の恩典を提供することを特徴とする請求項６に記載のオークションサーバ。
【請求項８】
前記選定部は、
同一の入札金額を提示した落札者が複数であるとき、入札時間をさらに考慮して前記最低落札者を選定することを特徴とする請求項６に記載のオークションサーバ。
【請求項９】
前記オークションサーバは、
前記最低落札者の落札金額から前記下限価格を差し引いた金額を原資に、前記販売者に対するオークション手数料を精算する精算部、
をさらに含むことを特徴とする請求項６に記載のオークションサーバ。
【請求項１０】
前記決済要請部は、
落札者が入札金額に対して先決済をしたとき、前記先決済した入札金額から前記最低落札者の落札金額を差し引いた金額に対して精算処理することを特徴とする請求項６に記載のオークションサーバ。
【発明の詳細な説明】
【技術分野】
【０００１】
本発明は、オークション方法及びオークションサーバに係り、より詳細には、販売者及び入札者が価格を自主的に決定できるようにすることによって、販売者及び落札者全ての利益になるオークション方法及びオークションサーバに関する。
【背景技術】
【０００２】
ソーシャルコマースは、最少の購買物量の販売のために１日の間に商品を約５０％の割引価格で販売することもある。これは、企業が事前に定めた最少の物量が売れてこそ取引が成立する方式であるためである。ソーシャルコマースは、ソーシャルショッピング（Ｓｏｃｉａｌ  Ｓｈｏｐｐｉｎｇ）ともいわれる。ソーシャルコマースは、消費者が自発的にツイッター、フェイスブックなどのソーシャルネットワークサービス（ＳＮＳ）を用いて情報を拡散させることが特徴である。これを通じて購買者は割引の恩典を、販売者は大量販売と広報効果を同時に得ることができる（例えば、特許文献１及び２参照）。
ソーシャルコマース企業と契約を結んで半値割引に乗り出した広告主は、広報効果を通じて再訪問顧客の誘致に対する期待を有する。しかし、期待値に及ばないことがしばしば発生する。
【０００３】
クーポンの超過発行と過度な商品割引によって、広告主は一定水準以上のサービスを顧客に提供することができなくなることがある。クーポンを有する顧客が一般の顧客に比べて量と質、サービスにおいて差別待遇を受けることから、これを提供する該当の広告主が顧客サービスに耐えられなくなって閉店になることも発生する。結局、クーポンを有する顧客には、サービスに対する不満が残り、該当の店には顧客が再訪問しなくなり、負債だけ残して終わることが多い。これは特に、ソーシャルコマース企業が、広告主が顧客に安定的にサービスを提供できる商品の適正価格を保証できないためである。
従って、販売者（広告主）及び入札者が適正価格を自主的に決定することによって、販売者（広告主）、入札者、サービス企業全てに利益になるオークションシステムの導入が必要な状況である。
【先行技術文献】
【特許文献】
【０００４】
【特許文献１】特開２００６−２５２４０５号公報
【特許文献２】特表２００９−２３０２６４号公報
【発明の概要】
【発明が解決しようとする課題】
【０００５】
本発明は、上記の問題を解決するためになされたものであって、その目的とするところは、販売者及び落札者全ての利益になるオークション方法及びオークションサーバを提供することにある。
【課題を解決するための手段】
【０００６】
上記の目的を達成するためになされた本発明のオークション方法は、少なくともデータベースを備えたオークションサーバにより実行されるオークション方法であって、オークションサーバが、特定商品に対する上限価格、販売者が提示した下限価格及び販売者が提示した複数の落札限定人員に関する情報を格納するデータベースを維持する段階、オークションサーバが下限価格と上限価格を入札者端末に送信する段階、オークションサーバが入札者端末から下限価格と上限価格との間で特定商品に対する入札金額を含む入札情報を受信する段階、オークションサーバが下限価格と上限価格の間の入札金額を入力し、下限価格と上限価格の間を外れる入札金額は入力されないように制御する段階、予め設定された入札時間が経過した場合、オークションサーバが落札限定人員及び入札情報に基づいて入札者の中から最低落札者を選定する段階、オークションサーバが、最低落札者の入札情報に基づいて、全ての落札者に最低落札者の落札金額を販売価格として適用し、落札者端末に決済を要請する段階、及びオークションサーバが、最低落札者の落札金額から下限価格を差し引きした金額である余剰収益をオークション手数料として精算処理する段階、を含むことを特徴とする。
【０００７】
上記目的を達成するためになされた本発明のオークションサーバは、特定商品に対する上限価格、販売者が提示した下限価格及び販売者が提示した複数の落札限定人員に関する情報を格納するデータベースを維持する格納部、複数の入札者端末から下限価格と上限価格との間で入札者が入力した特定商品に対する入札金額を含む入札情報を受信する受信部、予め設定された入札時間が経過したとき、落札限定人員及び入札情報に基づいて入札者のうちから、最低落札者を選定する選定部、最低落札者の入札情報に基づいて全ての落札者に最低落札者の落札金額を販売価格として適用し、落札者端末に決済を要請する決済要請部、及び複数の入札者端末に下限価格と上限価格を提供し、該複数の入札者端末から下限価格と上限価格間を外れる入札金額は入力されないように制御し、最低落札者の落札価格から下限価格を差し引きした金額である余剰利益をオークション手数料として精算処理するように、格納部、受信部、選定部、及び決済要請部を制御する制御部、を含むことを特徴とする。
【発明の効果】
【０００８】
本発明の実施例によると、販売者が商品の下限価格を提示できるようにすることによって、商品に対するサービスの保証が可能になる。
また、本発明の実施例によると、入札者は販売者が提示した下限価格と商品に対する上限価格の間で入札に参加できるので、商品の上限価格よりも低い価格で商品の購入が可能になる。
一方、本発明の実施例によると、入札者のうちオークション条件に応じて最低落札者を選定し、最低落札者の落札金額を全ての落札者に販売価格として適用することによって、入札者は自分の入札金額よりも低い金額で商品を購入することになる。従って、顧客の興味を誘発することが可能になる。また、本発明の実施例によると、落札者は１人ではなく多数であるため、多くの入札者が割引の恩典を受けることができる。
【図面の簡単な説明】
【０００９】
【図１】本発明の実施例に関するオークションシステムを説明するための図面である。
【図２】本発明の実施例に関するオークションサーバを説明するためのブロック構成図である。
【図３】本発明の実施例に関するオークション方法を説明するためのフローチャートである。
【図４】本発明の第１実施例を示す図面である。
【図５】本発明の第２実施例を示す図面である。
【図６】本発明の第３実施例を示す図面である。
【発明を実施するための形態】
【００１０】
図１は、本発明の実施例に関するオークションシステムを説明するための図面である。
図１に示した通り、本発明の実施例によるオークションシステムは、販売者が販売しようとする商品に対する下限価格を提示できる。本発明において下限価格とは、販売者が自分の商品に対して安定的なサービス（商品の量、質）を保証できる最小限の価格を意味する。
【００１１】
本発明の実施例によると、入札者は特定商品に対する上限価格と下限価格の間で入札に参加する。本発明において上限価格とは、特定商品に対して入札可能な最大価格を意味する。上限価格は、特定商品に対する正常価格を含む。また、上限価格は、特定商品の正常価格から一定部分割引された価格であってもよい。上限価格は、オークションサーバまたは販売者が決める。
【００１２】
本発明の実施例によると、入札者のうち特定オークション条件を満たす最低落札者を選定する。本発明において最低落札者とは、特定オークション条件を通過した多数の落札者のうち最低入札金額を提示して落札を受けた落札者を意味する。例えば落札者が５０人のとき、落札者が提示した入札金額のうち最高入札金額が５０万ウォン、最低入札金額が３０万ウォンであるとき、３０万ウォンの入札金額を提示して落札を受けた落札者が最低落札者となる。
【００１３】
本発明の実施例によると、最低落札者は１人であってもよいが、同一の入札金額を提示した人が多数のとき、最低落札者は複数人であってもよい。
一方、本発明の実施例によると、最低落札者の落札金額を全ての落札者の販売価格として適用する。即ち、落札者は自分の入札金額よりも低い金額で商品を購買することができる。
【００１４】
一方、最低落札者の落札金額（販売価格）から下限価格を差し引いた金額は、剰余収益になり得る。販売者は下限価格さえ保証されると自分のサービスを安定的に提供することができるため、下限価格よりも高く販売価格が設定されたとき、剰余収益を発生させることが可能になる。本発明の実施例によると、剰余収益の全部または一部をオークション手数料にすることができる。即ち、本発明の実施例によると、販売者は自分の下限価格から別途のオークション手数料を負担する必要がない。つまり、販売者は下限価格分の基本収益の保証が得られるので、顧客に安定的なサービスを提供することができる。
【００１５】
以下に、販売者及び落札者全てに利益になり得るオークションサーバ及びオークション方法に関して図２及び図３を参照して説明する。
図２は、本発明の実施例に関するオークションサーバを説明するためのブロック構成図である。
図２に示した通り、オークションサーバ（１００）は、格納部（１１０）、受信部（１２０）、選定部（１３０）、決済要請部（１４０）、精算部（１５０）、制御部（１６０）を含む。しかし、図２に示した構成要素全てが必須構成要素ではなく、構成要素より多くの構成要素によってもオークションサーバ（１００）が具現され、それより少ない構成要素によってもオークションサーバ（１００）は具現される。
【００１６】
格納部（１１０）は、特定商品に対する上限価格、販売者が提示した下限価格及びその他のオークション条件に関するデータベースを維持できる。本発明の第１実施例によると、オークション条件は落札限定人員を含む。本発明において落札限定人員とは、入札者のうち落札を受ける制限人員数を意味する。例えば、落札限定人員が５０人であるとき、入札者が１００人であっても５０人だけが落札を受けることが可能である。
【００１７】
本発明の第２実施例によると、オークション条件は落札比率を含む。本発明において落札比率とは、全体入札者のうち落札を受ける人員の比率を意味する。例えば、落札比率が５０％のとき、全体入札者が１００人であれば、１００人の５０％である５０人だけが落札受けることが可能である。
【００１８】
本発明の第３実施例によると、オークション条件は入札最大人数及び落札限定人員を含む。本発明において入札最大人数とは、入札に参加できる入札者数の最大値を意味するものである。即ち、入札最大人数が１００人であるとき、入札者が１００人に到達すると、他の者は入札に参加できなくなり、オークションは終了する。
【００１９】
本発明の実施例によると、受信部（１２０）は入札者から入札金額を含む入札情報を受信する。入札情報には、入札金額、商品の数量、入札者情報、商品情報などが含まれる。入札者は、販売者が提示した下限価格と特定商品に対する上限価格の間で入札金額を提示できる。このとき、本発明の実施例によると、入札者は自分の端末を通じてオークションサーバ（１００）に接続することによって、入札金額を提示できる。
本発明の実施例によると、選定部（１３０）は入札者のうち最低落札者を選定できる。このとき、選定部（１３０）は、既に設定された入札時間が終了するときに最低落札者を選定するが、入札者の数が入札最大人数に到達したときにオークションを終了して最低落札者を選定することもできる。
【００２０】
本発明の実施例によると、選定部（１３０）は落札限定人員及び入札情報を考慮して最低落札者を選定できる。また、本発明の他の実施例によると、選定部（１３０）は落札比率及び入札情報を考慮して入札者のうち最低落札者を選定できる。
一方、本発明の実施例によると、選定部（１３０）は同一入札金額を提示した落札者が複数のとき、入札時間をさらに考慮して最低落札者を選定できる。即ち、最低入札金額を提示した落札者が複数であるとき、選定部（１３０）は先着順で最低落札者を決めることもできる。このとき、最低落札者は１人であってもよく、２人以上であってもよい。
【００２１】
本発明の実施例によると、決済要請部（１４０）は最低落札者の入札情報を根拠に、全ての落札者に最低落札者の落札金額を販売価格として適用し、決済を要請する。このとき、決済要請部（１４０）は落札者の端末に決済を要請できる。端末は、多様な形態で具現される。端末は、固定端末だけでなく移動端末も含む。例えば、端末（２００）には、コンピュータ、ノートパソコン、タブレットＰＣ、携帯電話、スマートフォン（ｓｍａｒｔ  ｐｈｏｎｅ）、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ｅ−ｂｏｏｋ端末などが含まれる。
一方、落札者が入札金額に対して先決済をしたとき、決済要請部（１４０）は先決済した入札金額から最低落札者の落札金額を差し引いた金額に対して精算処理をすることもできる。
【００２２】
本発明の実施例によると、精算部（１５０）は最低落札者の落札金額から下限価格を差し引いた金額を原資に、販売者に対するオークション手数料を精算できる。オークション手数料とは、販売者が自分の商品に対するオークションをオークションサーバ（１００）を通じて行うことによって、販売者がオークションサーバ（またはオークションサーバ管理企業）に支払う一定の手数料を意味する。オークション手数料は、広告手数料であってもよい。本発明の実施例によると、オークション手数料は、最低落札者の落札金額（共通の販売価格）から下限価格を差し引いた金額の全部または一定部分であってもよい。
制御部（１６０）は、格納部（１１０）、受信部（１２０）、選定部（１３０）、決済要請部（１４０）、精算部（１５０）を全般的に制御する。また、制御部（１６０）は、最低落札者に一定の恩典を提供できる。一定の恩典は、商品の無料入手、ポイントの提供、割引、名誉の提供（例えば、オンライン上での特定地位の提供）等の恩典を含む。
【００２３】
本発明の実施例によると、制御部（１６０）は、落札者の入札金額から販売価格を差し引いた利益情報を落札者に提供する。利益情報は、最低落札者の落札金額を全ての落札者に販売価格として適用することによって、落札者が入札金額に比べ実質的に得られる利益額に関する情報を含む。
一方、制御部（１６０）は、時間の経過に応じてリアルタイムで平均入札金額、入札順位、総入札者数などの情報を入札者に提供できる。入札者が最低落札者になるとき、入札者は一定の恩典の提供を受けることができ、入札者が落札を受けるためには所定のオークション条件を満たさなければならないため、平均入札金額、入札順位、総入札者数などに関する情報は入札者に非常に有用である。
このとき、制御部（１６０）は、特定入札者に対してのみ平均入札金額、入札順位、総入札者数の情報を提供することもできる。特定入札者は、アイテムなどを購入した有料会員であってもよい。
【００２４】
一方、本発明の実施例によると、入札者が下限価格と上限価格の間以外の範囲で入札金額を提示するとき、制御部（１６０）は、該当入札者に対して自動で脱落させるようにする。本発明の他の実施例によると、制御部（１６０）は、下限価格と上限価格の間以外の範囲に対して入札金額が入力されないように制御することもできる。
【００２５】
以下においては、オークションサーバ（１００）の各構成を用いて販売者及び落札者全てに利益になるオークション方法に関して図３を参照して説明する。
図３は、本発明の実施例に関するオークション方法を説明するためのフローチャートである。
図３に示した通り、本発明の実施例によると、オークションサーバ（１００）は、特定商品に対する上限価格、販売者が提示した下限価格及びその他のオークション条件に関するデータベースを維持する［Ｓ３１０］。その他のオークション条件としては、落札限定人員、落札比率、入札最大人数などを含む。
特定商品とは、オークションの対象になる商品であって、有形の商品だけでなく無形の商品も含む。例えば、特定商品は、ソーシャルコマースサイトで販売される共同購買商品、検索広告に用いられるキーワード、マッサージや皮膚管理などのようなサービス商品なども含む。
【００２６】
本発明の実施例によると、オークションサーバ（１００）は、入札者から下限価格と上限価格の間で特定商品に対する入札金額を含む入札情報を受信する［Ｓ３２０］。即ち、入札者は、下限価格、上限価格、その他のオークション条件（落札限定人員、落札比率、入札最大人数等）を考慮して自分の所望の入札金額を提示する。
本発明の実施例によると、オークションサーバ（１００）は、入札者のうち最低落札者を選定できる［Ｓ３３０］。最低落札者を選定する方法は多様であってもよい。本発明の第１実施例によると、既に設定された入札時間が経過したとき、オークションサーバ（１００）は落札限定人員及び入札情報を考慮して入札者のうち最低落札者を選定できる。例えば、落札限定人員が５００人であって既に設定された入札時間の間に７００人が入札に参加したとき、入札金額の高い順で５００人までが落札を受ける。このとき、オークションサーバ（１００）は、５００位で落札を受けた落札者を最低落札者として選定する。
【００２７】
本発明の第２実施例によると、既に設定された入札時間が経過したとき、オークションサーバ（１００）は、落札比率及び入札情報を考慮して最低落札者を選定することもできる。例えば、落札比率が６０％であって既に設定された入札時間の間に１０００人が入札に参加したとき、入札金額が高い順で６００人（１０００人×０．６）までが落札を受ける。このとき、オークションサーバ（１００）は、６００位で落札を受けた落札者を最低落札者として選定する。
【００２８】
本発明の第３実施例によると、入札者の数が入札最大人数に到達したとき、オークションサーバ（１００）は入札を終了し、落札限定人員及び入札情報を考慮して入札者のうち最低落札者を選定できる。例えば、入札最大人数が１０００人であるとき、入札者が１０００人に到達すると、オークションサーバ（１００）は入札を終了して最低落札者を選定する。もし、落札限定人員が６００人であれば、入札が終了した時点に、入札金額が高い順から６００人までが落札を受ける。このとき、オークションサーバ（１００）は、６００位で落札を受けた落札者を最低落札者として選定する。
【００２９】
本発明の実施例によると、オークションサーバ（１００）は、最低落札者の入札情報を根拠に全ての落札者に最低落札者の落札金額を販売価格として適用し、決済を要請する［Ｓ３４０］。即ち、複数の落札者に最低落札金額を共通の販売価格として適用する。従って、本発明の実施例によると、落札者は自分が入札時に提示した金額よりも低い金額で商品を購入する。
一方、落札者が入札金額に対して先決済をしたとき、オークションサーバ（１００）は、先決済した入札金額から最低落札者の落札金額を差し引いた金額に対して精算処理をすることもできる。
【００３０】
本発明の実施例によると、最低落札者の落札金額は、入札者の入札金額、落札限定人員、落札比率などによって決定されるものであるため、販売者及び入札者が商品販売価格の決定に寄与することが可能になる。
また、落札者が１人である一般的なオークションとは異なり、本発明の実施例によると、落札者が複数であってもよい。従って、より多くの人が落札による恩典を受ける。
【００３１】
本発明の実施例によると、オークションサーバ（１００）は、最低落札者に一定の恩典を提供する［Ｓ３５０］。例えば、オークションサーバ（１００）は、最低落札者に選定された入札者に販売価格を「０ウォン」にして決済を要請することがある。また、オークションサーバ（１００）は、最低落札者にオークションに参加できる特定ポイントを提供することもできる。一方、オークションサーバ（１００）は、最低落札者の落札金額から一定部分割引された金額で最低落札者に決済を要請することもできる。例えば、最低落札者の落札金額が５万ウォンであるとき、オークションサーバ（１００）は、他の落札者には販売価格として５万ウォンの決済を要請しながら、最低落札者には販売価格として５０％割引された２万５千ウォンの決済を要請することも可能である。
従って、本発明の実施例によると、入札者は多様な恩典の提供を受けるために、入札時に最低落札者に選定されることが可能な入札金額を考慮しながら入札金額を提示できるので、入札者の興味を誘発することができる。
【００３２】
一方、本発明の実施例によると、落札者のうち最低入札金額を提示した者が複数のときがある。このとき、本発明の実施例によると、オークションサーバ（１００）は、先着順によって一定の恩典の提供を受ける最低落札者を選定できる。例えば、５００人が落札を受け、このうち同一の最低入札金額である３万ウォンを提示した落札者が１０人であるとき、オークションサーバ（１００）は入札時間をさらに考慮して（先着順に）最低落札者を選定することもできる。最低入札金額３万ウォンを提示した落札者１０人のうちＡが最も早く入札に参加したとき、オークションサーバ（１００）はＡに一定の恩典を提供する。そしてオークションサーバ（１００）は、残りの９人に対しては特別な恩典の提供なしに販売価格として３万ウォンの決済を要請できる。
【００３３】
また、本発明の実施例によると、恩典の提供を受ける最低落札者は特定人員に制限することもできる。例えば、最低落札者を３人に制限したとき、オークションサーバ（１００）は、最低入札金額を提示した落札者のうち先着順に３人を最低落札者に選定し、一定の恩典を提供する。
【００３４】
本発明の実施例によると、オークションサーバ（１００）は、最低落札者の落札金額（販売価格）から下限価格を差し引いた金額を原資に販売者に対するオークション手数料を精算できる［Ｓ３６０］。例えば、特定商品に対する上限価格が５万ウォン、販売者が提示した下限価格が２万ウォンであって、最低落札者の落札金額が２万５千ウォンであるとき、オークションサーバ（１００）は、最低落札者の落札金額である２万５千ウォンから下限価格である２万ウォンを差し引いた５千ウォンを原資にオークション手数料を精算できる。
【００３５】
このとき、オークションサーバ（１００）は、最低落札者の落札金額（販売価格）から下限価格を差し引いた金額全部をオークション手数料として精算することもでき、一定部分のみをオークション手数料として精算することもできる。もし、落札者が５００人であるとき、オークションサーバ（１００）は、２５０万ウォン（５００×５千ウォン）全部をオークション手数料として精算できる。一方、オークションサーバ（１００）は、２５０万ウォンのうち８０％（２００万ウォン）をオークション手数料とし、２０％（５０万ウォン）は販売者に返還することもできる。
【００３６】
従って、本発明の実施例によると、販売者は、下限価格を決定する時にオークション手数料などを考慮しないこともできる。即ち、販売者は下限価格によって特定商品の品質が保証されることのみを考慮するために、落札者に安定的なサービスを提供できる。従って、販売者は落札者から商品に対する良い評価を得ることができ、落札者の再購入、再訪問を誘導することができる。一方、落札者も良質の商品提供の保証を受けることができるので、望ましくないことが発生するのを防止できる。結局、本発明の実施例によると、販売者及びオークションサーバ（１００）に対する信頼度が高くなる。
【００３７】
また、本発明の実施例によると、下限価格にはオークション手数料が含まれないため、販売者はより低い金額を下限価格として提示できる。従って、入札者はさらに少ない金額で入札に参加できるようになり、落札者も比較的低い金額で良質の商品を購入することができる。
【００３８】
本発明の実施例によると、オークションサーバ（１００）は、落札者の入札金額から販売価格を差し引いた利益情報を落札者に提供できる［Ｓ３７０］。販売価格は最低落札者の落札金額になるため、一般的に販売価格は落札者の入札金額より低くなる。従って、オークションサーバ（１００）は、実際の入札金額と決済要請された販売価格の差額に関する情報を落札者に提供することによって、販売者及びオークションサーバ（１００）に対する広告効果をより高めることができる。
【００３９】
図４は、本発明の第１実施例を示す図面である。
図４に示した通り、本発明の実施例によると、販売者は、携帯電話をオークションを通じて販売することができる。このとき、販売者は、商品の品質、商品の調達能力などを考慮して落札限定人員及び下限価格を提示できる。もし、販売者が上限価格が７０万ウォンの携帯電話に対して、落札限定人員を１００人とし、下限価格を３０万ウォンに提示したとき、入札者は下限価格の３０万ウォンと上限価格の７０万ウォンの間で入札に参加する。
【００４０】
既に設定された入札時間が経過したとき、オークションサーバ（１００）は、落札限定人員及び入札情報に基づいて最低落札者を選定する。落札限定人員が１００人であるため、オークションサーバ（１００）は、入札金額の高い順から１００人までを落札者として選定する。そしてオークションサーバ（１００）は、落札者１００人のうち最低入札金額を提示した落札者（ＩＤ：ａｎｇｅｌ）を最低落札者として選定し、最低落札者（ＩＤ：ａｎｇｅｌ）の落札金額である３７万ウォンを全ての落札者に対する販売価格として決定する。従って、落札者は自分の入札金額よりも低い価格で携帯電話を購入することができる。
【００４１】
一方、オークションサーバ（１００）は、最低落札者には別途の恩典をさらに提供できる。例えば、最低落札者（ＩＤ：ａｎｇｅｌ）は、無償で携帯電話を入手したり、割引の恩典を受けて２０万ウォンで携帯電話を購入したり、ポイント提供の恩典を受けることができる。
従って、入札参加時に入札者はオークションにおいて落札を受けながら、同時に自分が最低落札者になれる入札金額を考慮するため、入札者に面白さを提供することができる。
一方、オークションサーバ（１００）は、落札者に利益情報を提供することもできる。例えば、入札金額が１位の落札者（ＩＤ：ｂａｎａｎａ）のとき、入札金額は６９万ウォンであったが、販売価格が３７万ウォンになったため、３２万ウォンの利益を得たことになる。従って、オークションサーバ（１００）は、落札者（ＩＤ：ｂａｎａｎａ）の端末に「Ａ携帯電話：販売価格３７万ウォンで落札されました。利益額は３２万ウォンです。決済に進みますか？」などの利益情報を提供する。
【００４２】
本発明の第１実施例によるとき、落札限定人員１００人を超える１０１位からは落札を受けることができなかったため、携帯電話を購買することができない。一方、本発明の第１実施例によると、オークションサーバ（１００）は、入札可能な時間情報（例えば、００：０３：０５）を入札者に提供することもできる。
また、オークションサーバ（１００）は、最低落札者の落札金額である３７万ウォンから販売者が提示した下限価格である３０万ウォンを差し引いた金額｛１００人×（３７万ウォン−３０万ウォン）＝７００万ウォン｝を原資に、販売者にオークション手数料を精算する。
一方、既に設定された入札時間の間に入札者の数が落札限定人員に到達しないとき、本発明の実施例によると、全ての入札者が落札者になることもできるが、本発明の他の実施例によると、オークション自体が取り消しになり、落札者が誰もいなくなることもできる。
【００４３】
図５は、本発明の第２実施例を示す図面である。
図５に示した通り、本発明の実施例によると、オークション方法はソーシャルコマースなどでも用いることができる。例えば、販売者○○レストランがステーキ＋ワインをソーシャルコマースサイトを通じて共同購買方式で販売しようとするときに、販売者は商品の品質、商品の調達能力などを考慮して落札比率及び下限価格を提示できる。もし、販売者が上限価格が５万ウォンであるステーキ＋ワインに対して落札比率を７０％にし、下限価格に２万ウォンを提示したとき、入札者は下限価格２万ウォンと上限価格５万ウォンの間で入札に参加する。
【００４４】
即ち、一般的なソーシャルコマースの場合、ソーシャルコマース企業側で特定の販売価格を一方的に提示すると、購買者は単に購買可否のみを決定するのに対し、本発明の実施例によると、販売者及び購買者が直接商品価格の決定に寄与する。従って、本発明の実施例によると、商品の品質が保証されながら、販売者及び購買者の全てが満足できる価格を決定することができる。
既に設定された入札時間が経過したとき、オークションサーバ（１００）は、落札比率及び入札情報に基づいて最低落札者を選定する。落札比率が７０％であるため、入札に参加した入札者のうち入札金額が高い順から７０％に該当する入札者までが落札者になる。このとき、オークションサーバ（１００）は、７０％に該当する落札者（ＩＤ：ａｎｇｅｌ）を最低落札者として選定し、最低落札者（ＩＤ：ａｎｇｅｌ）の落札金額である２万７千ウォンを全ての落札者に対する販売価格にとして決定する。従って、落札者は自分の入札金額よりも低い価格でクーポン（ステーキ＋ワイン）を購入することができる。
【００４５】
一方、オークションサーバ（１００）は、最低落札者に別途の恩典をさらに提供する。例えば、最低落札者（ＩＤ：ａｎｇｅｌ）は、無償でクーポンを入手したり、割引の恩典を受けて１万ウォンでクーポンを購入したり、ポイントの提供を受けることができる。
一方、オークションサーバ（１００）は、落札者に利益情報を提供することもできる。例えば、入札金額が１位の落札者（ＩＤ：ｂａｎａｎａ）のとき、入札金額は４万９千ウォンであったが、販売価格が２万７千ウォンになったため、２万２千ウォンの利益を得たことになる。従って、オークションサーバ（１００）は、落札者（ＩＤ：ｂａｎａｎａ）の端末に「○○レストランクーポン（ステーキ＋ワイン）：２万７千ウォンで落札！！／利益額２万２千ウォン／決済に進みますか？」などの利益情報を提供する。
【００４６】
本発明の第２実施例によると、落札比率７０％を超える残りの３０％の入札者は落札を受けることができなかったためにクーポンの購買ができなくなる。一方、本発明の第１実施例によると、オークションサーバ（１００）は、入札可能な時間情報（例えば、００：１０：５０）を入札者に提供することもできる。
また、オークションサーバ（１００）は、最低落札者の落札金額である２万７千ウォンから販売者が提示した下限価格である２万ウォンを差し引いた金額を原資に、販売者にオークション手数料を精算する。このとき、本発明の実施例によると、オークションサーバ（１００）は、最低落札者の落札金額から下限価格を差し引いた金額のうち一部のみをオークション手数料として精算し、残り部分を○○レストランに返還する。このとき、○○レストランは、基本的に落札者に安定的なサービスを提供できる２万ウォンに一定の金額をさらにプラスしてサービスを提供できるので、商品（サービス）の質を高めることができる。
【００４７】
図６は、本発明の第３実施例を示す図面である。
図６に示した通り、本発明の実施例によると、オークション方法は広告入札などでも用いることができる。例えば、検索広告提供企業（ポータルサイトなど）は、特定キーワードに対して入札を進める。このとき、検索広告提供企業は、サービスの品質及びキーワード当りの提供可能な広告数などを考慮して落札限定人員及び下限価格を提示できる。例えば、ＣＰＣ方式（Ｃｏｓｔ  Ｐｅｒ  Ｃｌｉｃｋ、使用者が広告をクリックして広告主のウェブサイトに移動したときにのみ広告主が代金を支払う方式）によって提供されるキーワード広告において、販売者が上限価格が２０００ウォンであるＡキーワード＋Ｂキーワードに対して落札限定人員を１０人とし、下限価格を３００ウォンにしたとき、入札者は下限価格３００ウォンと上限価格２０００ウォンの間で入札に参加する。
【００４８】
一方、本発明の第３実施例によると、販売者及びオークションサーバ（１００）のうち少なくとも１つによって入札最大人数を設定する。入札者数が入札最大人数に到達したとき、入札は終了する。例えば、入札最大人数が５０人であるとき、入札者数が５０人に到達すると、入札は終了されこれ以上他の者は入札に参加できなくなる。
【００４９】
本発明の第３実施例によると、入札者が５０人に到達したとき、オークションサーバ（１００）は、落札限定人員及び入札情報を根拠に最低落札者を選定する。落札限定人員が１０人であるため、オークションサーバ（１００）は入札金額の高い順から１０人までを落札者として選定する。そしてオークションサーバ（１００）は、落札者１０人のうち最低入札金額を提示した落札者（ＩＤ：ａｎｇｅｌ）を最低落札者として選定し、最低落札者（ＩＤ：ａｎｇｅｌ）の落札金額である５００ウォンを全ての落札者に対する販売価格として決定する。従って、落札者は自分の入札金額よりも低い価格でキーワード広告ができる。
【００５０】
一方、オークションサーバ（１００）は、最低落札者には別途の恩典をさらに提供することができる。例えば、最低落札者（ＩＤ：ａｎｇｅｌ）は、無償でキーワードを入手したり、割引の恩典を受けて２００ウォンでキーワード広告をしたり、ポイントの提供を受ける。
一方、オークションサーバ（１００）は、落札者に利益情報を提供することもできる。例えば、入札金額が１位の落札者（ＩＤ：ｂａｎａｎａ）のとき、入札金額は１８００ウォンであったが、販売価格が５００ウォンになったため、クリック当り１３００ウォンの利益を得たことになる。従って、オークションサーバ（１００）は、落札者（ＩＤ：ｂａｎａｎａ）の端末に「Ａキーワード＋Ｂキーワード５００ウォンで落札／利益額１３００ウォン／決済に進みますか？」などの利益情報を提供する。
【００５１】
一方、本発明の第３実施例によると、オークションサーバ（１００）は、現在の入札者数に関する情報（例えば、現在の入札者数：４０人）を入札者に提供する。これは入札者数が入札最大人数に到達したときに入札が終了されることがあるため、入札者が入札時期を把握して適切なタイミングで入札に参加できるようにするためである。
また、オークションサーバ（１００）は、最低落札者の落札金額である５００ウォンから販売者が提示した下限価格である３００ウォンを差し引いた金額を原資に、販売者にオークション手数料を精算することもできる。一方、本発明の実施例によると、オークションサーバ（１００）は、アイテムなどを購入した有料会員に入札順位による入札金額情報、平均入札額、入札者数などの情報を提供することもできる。
【００５２】
本発明の実施例によると、上述した方法は、プログラムが記録された媒体にコンピュータによる読み出しが可能なコードによって具現する。コンピュータによる読み出しが可能な媒体は、コンピュータシステムによって読み出しが可能なデータが格納される全ての種類の記録装置を含む。コンピュータによる読み出しが可能な媒体の例としては、ＲＯＭ、ＲＡＭ、ＣＤ−ＲＯＭ、磁気テープ、フロッピー（登録商標）ディスク、光データ格納装置などがあり、またキャリア波（例えばインターネットを通じた転送）の形態で具現されることも含む。
【００５３】
また、以上において本発明の実施例について詳細に説明したが、本発明の権利範囲はこれに限定されるものではなく、本発明の技術的範囲内で多様な形態への変更実施が可能である。
【符号の説明】
【００５４】
１００：  オークションサーバ
１１０：  格納部
１２０：  受信部
１３０：  選定部
１４０：  決済要請部
１５０：  精算部
１６０：  制御部
２００：  端末
【図１】
0005239092.tif 000002
【図２】
0005239092.tif 000003
【図３】
0005239092.tif 000004
【図４】
0005239092.tif 000005
【図５】
0005239092.tif 000006
【図６】
0005239092.tif 000007